(57)【要約】【課題】  モアレ模様状の３次元的な視覚効果を、より自由に、かつ効果的に発揮させることを課題とし、よって今までにない独特な視覚効果により格段のアイキャッチ効果を発揮する商品の購買時広告（ＰＯＰ）の方法を提供することを目的とする。【解決手段】  商品の外表面上に規則性を有するパターンを形成し、この商品を、透明な基材部分に規則的なパターンを形成した外装部材で外装し、両パターン間による光の干渉効果により、３次元的な視覚効果が現出するようにする。【選択図】図２
2007039046.tif 000002
【特許請求の範囲】
【請求項１】
商品(1)の外表面上に規則性を有するパターン(P1)を形成し、該製品本体(1)を、透明な基材(12)部分に規則的なパターン(P2)を形成した外装部材(11)で外装し、両パターン(P1、P2)間による光の干渉効果により、３次元的な視覚効果が現出するようにしたことを特徴とする商品の加飾方法。
【請求項２】
商品(1)の外表面上に印刷によりパターン(P1)を形成した請求項１記載の商品の加飾方法。
【請求項３】
外装部材(11)を透明な基材から成る外箱(11a)とした請求項１または２記載の商品の加飾方法。
【請求項４】
外装部材(11)を透明な基材から成る筒状部材(11b)とした請求項１または２記載の商品の加飾方法。
【請求項５】
外装部材(11)を透明なフィルム状の基材から成る袋状部材とした請求項１または２記載の商品の加飾方法。
【請求項６】
外装部材(11)を、台紙と透明な合成樹脂成形品との組み合わせからなるブリスターパックとした請求項１または２記載の商品の加飾方法。
【請求項７】
外装部材(11)の相対向する面に規則的なパターンを形成し、該対向する面間でも３次元的な視覚効果が現出するようにした請求項１、２、３、４、５または６記載の商品の加飾方法。
【請求項８】
商品 (1)と外装部材(11)の基材表面の少なくとも一方に、パターン(P1、P2)に重ねるように絵柄、図案、あるいは文字を付加したことを特徴とする請求項１、２、３、４、５、６または７記載の商品の加飾方法。
【請求項９】
商品(1)を、容器本体に内容物を収容した容器製品とした請求項１、２、３、４、５、６、７または８記載の加飾方法。
【発明の詳細な説明】
【技術分野】
【０００１】
本発明は、モアレ模様により３次元的な視覚効果を与えるようにした商品の加飾方法あるいは展示方法に関する。
【背景技術】
【０００２】
従来より、商品を、表面に印刷等が施されたクリアケースやブリスターパック等の透明な合成樹脂製成形品に収納し、販売する包装形態が広く利用されている。また、販売時点での装飾、あるいは展示方法によって、その商品のイメージを大きく向上させることが望まれており、その商品及び外装部材等に塗装、印刷等を施し、装飾性を発揮させて高級感を与えることが検討されている。
その中でモアレ模様による加飾は３次元的な視覚効果を現出することができるものである。たとえば特許文献１には蓋に覆われる部位の収納容器本体の表面に有色インクで大小のドットで模様を印刷し、蓋の外表面に成形あるいは透明なインクで印刷することによって形成された大小の凸のあるドットで模様を形成することによってモアレ模様効果を付加した全体模様を持つことを特徴とする化粧品収納容器ついての記載がある。
【特許文献１】特開２００４−１８１０３７号公報
【発明の開示】
【発明が解決しようとする課題】
【０００３】
しかしながら、特許文献１のように収納容器本体と蓋の外表面に模様を形成する等の場合には、装飾可能な部位が限定されるので、その装飾効果も限定されたものとなってしまう。
【０００４】
もし、モアレ模様状の３次元的な視覚効果を商品の形状に拠らず、自在に、かつ効果的に現出させることができれば、多数ある商品のなかで、自己の商品に目を向けさせる効果、所謂アイキャッチ効果が発揮され、特に、購買時点広告、所謂ＰＯＰ（point of purchase advertising)で大きな効果が発揮されることが期待される。
【０００５】
本発明は、購買時点広告（以下、ＰＯＰと記載する。）に係るものであり、モアレ模様状の３次元的な視覚効果を、より自由に、かつ効果的に発揮させることを課題とし、よって今までにない独特な視覚効果により格段のアイキャッチ効果を発揮する商品のＰＯＰの方法を提供することを目的とする。
【課題を解決するための手段】
【０００６】
上記技術的課題を解決する方法のうち、請求項１記載の発明の方法は、
商品の外表面上に規則性を有するパターンを形成し、この商品を、透明な基材部分に規則的なパターンを形成した外装部材で外装し、両パターン間による光の干渉効果により、３次元的な視覚効果が現出するようにした商品の加飾方法、にある。
【０００７】
請求項１記載の発明の方法は、商品に形成した規則性を有するパターンと、外装部材に形成した規則性を有するパターンとの距離をあけることによって、そのパターン間の光の干渉効果により３次元的な視覚効果が現出するようにしたものであり、蓋と容器本体を利用した方法に比較して、商品の形状や透明性の有無に拠らず、より自由に、かつ効果的にモアレ模様状の３次元的な視覚効果を発揮させることができ、より格段のアイキャッチ効果を得ることができる。
【０００８】
ここで、本発明の加飾方法は、たとえば容器本体に内容物を収容した容器製品、玩具、文具、日用品、電気部品等の様々な態様の商品に利用される。
また、外装部材の基材としては透明性（半透明性も含む）のフィルム状、シート状、薄板状等のものを使用することができ、透明性を損なわない程度に必要に応じて着色剤、各種添加剤等を配合することもできる。
【０００９】
外装部材としては外箱状、筒状、袋状等目的に応じてさまざまな態様のものを使用することができ、店頭販売時にだけ外装して展示することもでき、外装した状態で販売することもできる。また外装部材全体を透明することもできるし、部分的に透明にすることもできる。
そして、この外装部材の基材をフィルム状、シート状、薄板状等のものとすることにより、それ自体の剛性により商品に形成した規則性を有するパターンと外装部材の基材に形成した規則性を有するパターンとの間の少なくとも一部に距離が空き、僅かな視点の変化により、モアレ模様が大きく変化する、３次元的な視覚効果が発現する。
【００１０】
商品への規則的なパターンの形成方法としては、直接印刷する方法、ラベルを貼着または装着する方法、ホットスタンプを行う方法、金型加工により成形で形成する方法等があり、外装部材の基材表面への規則的なパターンの形成方法としては、グラビア印刷、オフセット印刷、凸版輪転印刷、フレキソ印刷、インクジェットプリント等の従来の印刷方式による印刷やホットスタンプ加工、エンボス加工等が挙げられる。また商品の壁面、あるいは外装部材の基材表面への規則的なパターンを前記形成方法等により規則的な凹凸状にすることもできる。
【００１１】
商品の壁面、あるいは外装部材の基材表面への規則的なパターンとしては、所定のピッチで平行線を並べたもの、正方格子状のもの、パンチメタル状にドットを一定の規則で配置したもの、同心円等様々な形態があり、たとえば全面に亘って同じパターンとすることもできるし、部分的にパターンを変化させてもよいし、パターンを連続的に徐々に変化させていくこともできる。そして規則的なパターンの一部のピッチや線の太さや、角度を変化させて模様、図柄、図案化した文字等を形成することにより、その部分のモアレ模様がその他の背景のモアレ模様とは異なるため、その部分が浮き出たり、沈み込んだりするように見え、視覚効果に変化を持たせることができる。また、パターンに重ねて文字、図案、模様、ベタ等を付加することもできる。
【００１２】
請求項２記載の発明の方法は、請求項１の発明において、商品の外表面上に印刷によりパターンを形成する、ことにある。
【００１３】
請求項２記載の上記方法により、印刷により微細で、鮮やかな色彩のパターンも廉価で容易に形成することができる。
【００１４】
請求項３記載の発明の方法は、請求項１または２記載の発明において外装部材を透明な基材から成る外箱としたこと、にある。
【００１５】
請求項３記載の上記方法により、外装部材をクリアケース状にして３次元的な視覚効果を発揮させることができ、外箱と共に販売することもできる。
また、前面だけでなく、前面と後面、あるいは全周に亘って規則的なパターンを形成して、相対向する面間のモアレ模様による視覚効果を付加して、さらにアイキャッチ効果、視覚効果を高めることができる。
【００１６】
請求項４記載の発明の方法は、請求項１または２記載の発明において外装部材を透明な基材から成る筒状部材としたこと、にある。
【００１７】
請求項４記載の上記方法により、必要に応じて商品に外嵌するようにして外装することができ、また脱着も容易にできるので店頭での展示が容易である。また、全方位に亘って視覚効果を発揮させることも容易である。
【００１８】
筒状部材の基材は目的に応じて、フィルム状、シート状、板状とすることができ、その形状も円筒状、楕円筒状、矩形筒状、多角形筒状等、様々な態様とすることができる。
【００１９】
請求項５記載の発明の方法は、請求項１または２記載の発明において外装部材(11)を透明なフィルム状の基材から成る袋状部材としたこと、にある。
【００２０】
請求項５記載の上記方法により、外装部材をフィルム状の基材からなる袋状部材とすることにより、商品と外装部材の間隔が個々に変化するので、それぞれに少しずつ異なる視覚効果が発揮される。また、袋状部材と共に販売することもできる。
【００２１】
請求項６記載の発明の方法は、請求項１または２記載の発明において外装部材を、台紙と透明な合成樹脂成形品との組み合わせからなるブリスターパックとしたこと、にある。
【００２２】
請求項６記載の上記方法により、外装部材を、透明な合成樹脂成形品と台紙との組み合わせからなるブリスターパックとすることにより、商品に形成した規則性を有するパターンと、ブリスターパックの合成樹脂成形品に形成した規則性を有するパターンとの距離をあけることによって、そのパターン間の光の干渉効果により３次元的な視覚効果が現出するようにしたものであり、外装部材と共に販売することもできる。また、合成樹脂成形品だけではなく、台紙側にも規則的なパターンを形成し、合成樹脂成形品と商品、合成樹脂成形品と台紙間のモアレ模様による視覚効果を付加して、さらにアイキャッチ効果、視覚効果を高めることができる。さらに透明な合成樹脂成形品を、内容商品を覆うような複雑な形状にすることもでき、箇所によって、また見る角度によって異なる複雑なモアレ模様が現出する。
【００２３】
請求項７記載の発明の方法は、請求項１、２、３、４、５または６記載の発明において、外装部材の相対向する面に規則的なパターンを形成し、この対向する面間でも３次元的な視覚効果が現出するようにしたこと、にある。
【００２４】
請求項７記載の上記方法により、たとえばクリアケースの前面と背面にそれぞれ規則的なパターンを形成することにより、これら両パターン間によっても３次元的な視覚効果が発揮される。また、クリアケースの前面と背面、前面と商品の間の間隔が異なるので、見る角度によりモアレ模様の変化の大きさが異なり、より独特な視覚効果を現出させることができ、さらにアイキャッチ効果、視覚効果を高めることができる。
【００２５】
請求項８記載の発明の方法は、請求項１、２、３、４、５、６または７記載の発明において、商品と基材の表面の少なくとも一方に、パターンに重ねるように絵柄、図案、あるいは文字を付加すること、にある。
【００２６】
上記請求項８記載の方法によりモアレ模様を背面に絵柄、図案、あるいは文字等が浮かび上がる、あるいは沈み込むように表すことができ、より独特な装飾、あるいは表示・広告効果を発揮させることができる。
【００２７】
ここで、規則性を有するパターンに加えて、絵柄、図案、あるいは文字を付加する際には、たとえば所定の規則性を有するパターンの上に重ねて、絵柄、図案、あるいは文字を印刷してもよいし、所定の規則性を有するパターンを印刷で形成する場合には、予め、絵柄、図案、あるいは文字を印刷してから所定の規則性を有するパターンを印刷してもよいし、所定の規則性を有するパターンと絵柄、図案、あるいは文字を同時に印刷してもよい。
【００２８】
請求項９記載の発明の方法は、請求項１、２、３、４、５、６、７または８記載の発明において、商品を、容器本体に内容物を収容した容器製品とすること、にある。
【００２９】
請求項９記載の方法により、容器本体の加飾のみの場合に比べ、格段に装飾効果、アイキャッチ効果が向上し、販売促進効果が高まる。ここで容器本体は使用目的に応じて透明であっても、不透明であってもよい。
【発明の効果】
【００３０】
本発明は上記した方法であり、以下に示す効果を奏する。
請求項１記載の発明にあっては、規則性パターンを形成した外装部材を使用することにより、ＰＯＰにおいてより自由に、かつ効果的にモアレ模様状の３次元的な視覚効果を発揮させることができ、格段のアイキャッチ効果を得ることができる。
【００３１】
請求項２記載の発明にあっては、商品の外表面上に印刷により、微細で、鮮やかな色彩のパターンも廉価に、容易に形成することができる。
【００３２】
請求項３記載の発明にあっては、外装部材をクリアケース状にして３次元的な視覚効果を発揮させることができ、外箱と共に販売することもできる。
【００３３】
請求項４記載の発明にあっては、必要に応じて商品に外嵌するようにして外装することができ、また脱着も容易にできるので店頭での展示が容易である。また、全方位に亘って視覚効果を発揮させることも容易である。
【００３４】
請求項５記載の発明にあっては、商品と袋状部材の間隔が個々に変化するので、それぞれに少しずつ異なる視覚効果が発揮される。また、袋状部材と共に販売することもできる。
【００３５】
請求項６記載の発明にあっては、商品に形成した規則性を有するパターンと、ブリスターパックの合成樹脂成形品に形成した規則性を有するパターンとの距離をあけることによって、そのパターン間の光の干渉効果により３次元的な視覚効果を現出することができ、また、商品をブリスターパック入り商品として販売することができる。
【００３６】
請求項７記載の発明にあっては、外装部材の前面と背面にそれぞれ規則的なパターンを形成することにより、これら両パターン間によっても３次元的な視覚効果が発揮され、前面と背面、前面と商品の間の間隔が異なるので、見る角度によりモアレ模様の変化の大きさが異なり、より独特な視覚効果を現出させることができ、さらにアイキャッチ効果、視覚効果を高めることができる。
【００３７】
請求項８記載の発明にあっては、モアレ模様を背面に絵柄、図案、あるいは文字等が浮かび上がる、あるいは沈み込むように表すことができ、より独特な装飾、あるいは表示・広告効果を発揮させることができる。
【００３８】
請求項９記載の発明にあっては、容器本体の加飾のみの場合に比べ、格段に装飾効果、アイキャッチ効果が向上し、容器製品の販売促進効果を高めることができる。
【発明を実施するための最良の形態】
【００３９】
以下本発明の実施の形態を図面を参照しながら説明する。図１と図２は本発明の加飾方法あるいは展示方法の第１実施例を説明するためのものである。
図１（ａ）は使用する商品の一例を示す全体斜視図であり、この商品１は、略長方形筒状の胴部２を有するポリエチレン樹脂製のブローボトルである容器本体に内容物を収容し、この容器本体の口筒部にキャップ３を螺合した容器製品である。そしてこの容器本体の胴部２の前面の表面には、フレーム処理を行った後、スクリーン印刷で波状に湾曲した線分を所定のピッチで規則的に並べたパターンＰ１が直接印刷されている。
【００４０】
図１（ｂ）は、使用する外装部材１１の一例で、商品１である容器製品を収めるためのクリアケース状の直方体の外箱１１ａであり、蓋部１３を有する。この外箱１１ａの基材１２はポリスチレン樹脂製の透明シートであり、稜線部を折り曲げ、箱状に組み立てて成形したものである。
そして、外箱１１ａの前面では、容器本体の胴部２に印刷したパターンＰ１を左回りに若干回転させたように波状に湾曲した線分を所定のピッチで規則的に並べたパターンＰ２と、図案化した”ＡＢＣ”の文字が基材１２に印刷されている。
【００４１】
図２は商品のＰＯＰによる展示状態を示すものであり、商品１である容器製品を外箱１１ａ中に入れて、蓋部１３を閉めた状態である。
このような状態で、パターンＰ１とパターンＰ２によりモアレ模様状に３次元的な視覚効果が発揮されると共に、文字Ｓが３次元的な視覚効果を有するモアレ模様の中で、独特な表示・広告効果を発揮する。
【００４２】
ここで、外箱１１ａは展示の時にのみ使用することもでき、容器製品を外箱１１ａに入れた状態でそのまま販売することもできる。
また、本実施例では外箱１１ａの前面にだけ規則的なパターンＰ２を形成するようにしているが、背面にも規則的なパターンを形成することにより、前面と、背面間によるモアレ模様状の３次元的な視覚効果を併せて発揮させることができ、さらにその視覚効果、アイキャッチ効果を高めることができる。
【００４３】
また、外箱１１ａの替わりに透明なフィルムを基材とした袋部材を外装部材として使用することもできる。この場合には容器本体と袋状部材の間隔が個々に変化するので、それぞれに少しずつ異なる視覚効果が発揮される。また、容器製品を袋状部材と共に販売することもできる。
【００４４】
次に、図３は本発明の加飾方法あるいは展示方法の第２実施例を説明するものであり、図３（ａ）は商品の他の例であり、ポリエチレン樹脂製のチューブ状の容器本体に内容物を収納し、キャップ３をした容器製品の正面図である。容器本体の外周面の全周に亘り中心軸方向に縦縞が印刷されており、これにより規則的なパターンＰ１が形成されている。
【００４５】
また、図３（ｂ）は、使用する外装部材１１の他の例である筒部材１１ｂであり、ポリスチレン樹脂製の透明な円筒状の基材１２の外周面の全周に亘り、中心軸方向から若干傾けて縦縞が直接スクリーン印刷されており、これにより規則的なパターンＰ２が形成されている。
【００４６】
そして、図３（ｂ）の筒状部材１１ｂを外嵌するようにして商品１である図３（ａ）の容器製品を外装することにより、パターンＰ１とパターンＰ２によりモアレ模様状に、３次元的な視覚効果が発揮される。パターンＰ１とパターンＰ２はそれぞれチューブ状の容器本体と筒部材１１ｂの外周面の全周に亘って形成されているので、どの方向から見てもモアレ模様が現出する。
またチューブ状の容器本体の胴部は口筒部近傍の円筒状の部分から、底部近傍の扁平な部分まで、その形状が緩やかに変化するので上下位置、あるいは見る方向によって模様が変化し、独特な視覚効果が発揮される。
【００４７】
この実施例で、筒状部材１１ｂのパターンＰ２は一定の間隔で線分を並べて全周に亘って形成されているが、たとえば間隔を徐々に変えたり、所定の領域で間隔を変えたり、また線分の太さを変えたりする等、その視覚効果を考えてさまざまな態様とすることができる。
また、筒状部材１１ｂの所定領域のみを透明にして、その部分にパターンＰ２を形成し、特定の部分にモアレ模様が現出するようにすることもできる。
【００４８】
以上、実施例により本発明の実施の形態を説明したが、本発明の作用効果はこの実施例に限定されるものでない。商品の外表面と外装部材の基材に形成する規則的なパターンの組み合わせは様々な組み合わせがあり、さらに配色方法も組み合わせて多様な視覚効果を出現させることができる。
【００４９】
また、商品は容器製品に限定されず、玩具、文具、日用品、電気部品等様々なものに利用される。
【００５０】
また、外装部材の基材に使用する合成樹脂はポリスチレン樹脂のほか、ポリエチレン樹脂、ポリプロピレン樹脂等のポリオレフィン樹脂、ポリエチレンテレフタレート等のポリエステル樹脂、アクリル樹脂、ポリ塩化ビニル樹脂など透明性を有するものであれば特に限定することなく、従来より使用されている樹脂から適宜選択することができる。また、必要に応じてガラス製であってもよい。
【００５１】
商品表面へのパターンの形成は、スクリーン印刷による直接印刷の他、オフセット印刷、転写印刷、インクジェットプリント等の従来の印刷方式による直接印刷や予めパターンＰ１が印刷された、粘着ラベル、インモールドラベルの貼着、シュリンクラベル、ストレッチラベルの装着等の従来のラベルの貼着や装着、ホットスタンプ加工によっても実施できる。
【００５２】
商品表面へのパターンは、商品外表面に対し、全面的に形成してもよいし、外装部材の基材へのパターンに対応する場合は部分的であってもよい。また、外装部材へのパターンは、同様に基材表面に対し、全面的に形成してもよいし、商品表面へのパターンに対応する場合は部分的であってもよい。
また、商品表面と外装部材の基材表面の少なくとも一方の規則的なパターンの中に、該規則的なパターンとはピッチや線の太さや、角度を変化させたパターンで模様、図柄、図案化した文字等を形成することにより、その形成した部分のモアレ模様がその他の背景のモアレ模様とは異なり、その部分が浮き出たり、沈み込んだりするように見えるようにすることもできる。
【００５３】
また、外装部材も上記実施例の外箱、筒状部材、袋状部材に限定されるものではなく、たとえば、透明な合成樹脂成形品と台紙との組み合わせからなる、所謂ブリスターパック等、目的に応じてさまざまな態様の外装部材を使用することができる。
【産業上の利用可能性】
【００５４】
以上説明したように本発明の商品の加飾方法は今までにない３次元的な視覚効果を廉価に容易に発揮せしめることができ、ＰＯＰにおいて幅広い用途展開が期待できる。
【図面の簡単な説明】
【００５５】
【図１】本発明の加飾方法に使用する（ａ）商品と、（ｂ）外装部材の一例を示す全体斜視図である。
【図２】本発明の加飾方法の第１実施例であり、図１中の商品を外装部材で外装した状態を示す全体斜視図である。
【図３】本発明の加飾方法に使用する（ａ）商品と、（ｂ）外装部材の他の一例を示す、それぞれ正面図と全体斜視図である。
【符号の説明】
【００５６】
１  ；商品
２  ；胴部
３  ；キャップ
１１；外装部材
１１ａ；外箱
１１ｂ；筒部材
１２；基材
１３；蓋部
Ｐ１、Ｐ２；パターン
Ｓ  ；文字
【図１】
2007039046.tif 000003
【図３】
2007039046.tif 000004
【図２】
2007039046.tif 000005